(57)【要約】    【課題】本発明は、長期の使用によっても基剤の酸化による導電率の上昇が小さく、初期の導電率を維持することができる燃料電池用冷却液組成物に関するものである。    【解決手段】本発明の燃料電池用冷却液組成物はシクロアルキルアミン又はその誘導体を含有することから、基剤の酸化による冷却液の導電率の上昇が効果的に抑制され、長期に渡って使用した場合でも、初期の導電率を維持することができる。 【選択図】なし【特許請求の範囲】
【請求項１】
シクロアルキルアミン又はその誘導体を含有することを特徴とする燃料電池用冷却液組成物。
【請求項２】
シクロアルキルアミン又はその誘導体が、シクロプロピルアミン、シクロブチルアミン、シクロペンチルアミン、シクロヘキシルアミン、シクロオクチルアミン、及びシクロドデシルアミン、又はそれらの誘導体の中から選ばれるいずれか１種若しくは２種以上の混合物であることを特徴とする請求項１記載の燃料電池用冷却液組成物。
【請求項３】
水、グリコール類、アルコール類、及びグリコールエーテル類の中から選ばれる１種若しくは２種以上の混合物を基剤として用いることを特徴とする請求項１又は２記載の燃料電池用冷却液組成物。
【請求項４】
シクロアルキルアミン又はその誘導体の含有量が基剤１００重量部に対して０．００１〜２０重量部であることを特徴とする請求項１〜３のいずれかに記載の燃料電池用冷却液組成物。
【発明の詳細な説明】
【技術分野】
【０００１】
本発明は、燃料電池、特には自動車用燃料電池の冷却に使用される冷却液組成物に関する。詳細には長期の使用によっても基剤の酸化による導電率の上昇が小さく、初期の導電率を維持することができる燃料電池用冷却液組成物に関する。
【背景技術】
【０００２】
燃料電池は、一般に発電単位である単セルを多数積層した構造のスタックとして構成されている。発電時にはスタックから熱が発生するので、このスタックを冷却するために数セル毎に冷却板が挿入されていた。そして、この冷却板内部には冷却液通路が形成されており、この通路を冷却液が流れることにより、スタックが冷却されるようになっていた。
【０００３】
このように、燃料電池の冷却液は、発電を実行しているスタック内を循環してスタックを冷却するため、冷却液の電気伝導率が高いと、スタックで生じた電気が冷却液側へと流れて電気を損失し、当該燃料電池における発電力を低下させることになる。そこで、従来の燃料電池の冷却液には導電率が低い、換言すれば電気絶縁性が高い純水が使用されていた。
【０００４】
ところが、例えば自動車用燃料電池や家庭用コージェネレーションシステム用燃料電池を考慮した場合、非作動時に冷却液は周囲の温度まで低下してしまう。特に氷点下での使用可能性がある場合、純水では凍結してしまい、冷却液の体積膨張による冷却板の破損など、燃料電池の電池性能を損なう恐れがあった。
【０００５】
このような事情から、燃料電池用冷却液には、不凍性を目的としてグリコール類やアルコール類などの基剤を使用することが考えられる。従来、例えば水とグリコール類の混合溶液からなる基剤と、冷却液の導電率を低導電率に維持するアミン系のアルカリ性添加剤を含む燃料電池用冷却液組成物が提案されている（特許文献１参照）。
【特許文献１】特開２００１−１６４２４４号公報
【発明の開示】
【発明が解決しようとする課題】
【０００６】
しかし、従来の燃料電池用冷却液組成物にあっては、燃料電池作動中に冷却液中において基剤として使用されているグリコール類やアルコール類が酸化してイオン性物質を生成する。このため、長期に渡って使用することにより、冷却液中のイオン性物質の量が増加し、この結果、初期の導電率が維持できなくなるという事態を招く恐れがあった。
【０００７】
本発明は、このような事情に鑑みなされたものであり、基剤の酸化による導電率の上昇が小さく、長期に渡って初期の導電率を維持することができる燃料電池用冷却液組成物を提供することを目的とするものである。
【課題を解決するための手段】
【０００８】
本発明の燃料電池用冷却液組成物（以下、単に組成物という）は、環式化合物であるシクロアルキルアミン又はその誘導体を含有することで特徴づけられたものである。
【発明の効果】
【０００９】
本発明の組成物はシクロアルキルアミン又はその誘導体を含有することから、該シクロアルキルアミン又はその誘導体が基剤の酸化を抑制し、基剤の酸化による冷却液の導電率の上昇が効果的に抑制され、長期に渡って使用した場合でも初期の導電率を維持することができる。
【発明を実施するための最良の形態】
【００１０】
本発明の組成物に用いる基剤としては、低導電率であって、不凍性を有するものが望ましい。具体的には水、アルコール類、グリコール類、及びグリコールエーテル類の中から選ばれる１種若しくは２種以上の混合物からなるものが望ましい。
【００１１】
アルコール類としては、例えばメタノール、エタノール、プロパノール、ブタノール、ペンタノール、ヘキサノール、ヘプタノール、オクタノールの中から選ばれる１種若しくは２種以上の混合物からなるものを挙げることができる。
【００１２】
グリコール類としては、例えばエチレングリコール、ジエチレングリコール、トリエチレングリコール、プロピレングリコール、１，３−プロパンジオール、１，３−ブタンジオール、１，５−ペンタンジオール、ヘキシレングリコールの中から選ばれる１種若しくは２種以上の混合物からなるものを挙げることができる。
【００１３】
グリコールエーテル類としては、例えばエチレングリコールモノメチルエーテル、ジエチレングリコールモノメチルエーテル、トリエチレングリコールモノメチルエーテル、テトラエチレングリコールモノメチルエーテル、エチレングリコールモノエチルエーテル、ジエチレングリコールモノエチルエーテル、トリエチレングリコールモノエチルエーテル、テトラエチレングリコールモノエチルエーテル、エチレングリコールモノブチルエーテル、ジエチレングリコールモノブチルエーテル、トリエチレングリコールモノブチルエーテル、テトラエチレングリコールモノブチルエーテルの中から選ばれる１種若しくは２種以上の混合物からなるものを挙げることができる。
【００１４】
上記基剤の中でもエチレングリコールおよび又はプロピレングリコールは、取り扱い性、価格、入手容易性の点から好ましい。
【００１５】
上記基剤中にシクロアルキルアミン又はその誘導体が含まれているのである。シクロアルキルアミンは抗酸化剤であり、これを基剤中に含有させることにより、基剤の酸化が効果的に抑制され、基剤の酸化によるイオン性物質の生成が抑えられる。このため、長期使用によっても冷却液中のイオン性物質の量が少なくすることができ、この結果、初期の導電率が維持されるという効果を奏することになる。
【００１６】
このような作用効果を奏するシクロアルキルアミン又はその誘導体としては、例えばメチルシクロプロパンアミン、アミノシクロプロパンカルボン酸、メチルシクロペンチルアミン、シクロヘキサンジアミン、シクロヘキシルヒドロキシルアミン、メチルシクロヘキシルアミン、ジメチルシクロヘキシルアミン、トリメチルシクロヘキシルアミン、アミノメチルトリメチルシクロヘキシルアミン、ヒドロキシメチルシクロヘキシルアミン、エチルシクロヘキシルアミン、エチニルシクロヘキシルアミン、ジエチルシクロヘキシルアミン、ヒドロキシエチルシクロヘキシルアミン、イソプロピルシクロヘキシルアミン、シクロヘキシルプロパンジアミン、アリルシクロヘキシルアミン、ブチルヘキシルアミン、ジアセチルシクロヘキサンジアミン、シクロヘキサンジアミンテトラ酢酸、ジシクロヘキシルアミン、メチルジシクロヘキシルアミン、ジシクロヘプチルアミン、シクロオクチルヒドロキシエチルアミンなどを挙げることができ、これらの１種若しくは２種以上の混合物の形態で用いることができる。上記シクロアルキルアミン又はその誘導体の中でも、炭素数が３〜１２のシクロプロピルアミン、シクロブチルアミン、シクロペンチルアミン、シクロヘキシルアミン、シクロオクチルアミン、シクロドデシルアミンは、酸化抑制効果に優れ、かつ取り扱い性や入手容易性が良好である点でより好ましい。
【００１７】
シクロアルキルアミン又はその誘導体の含有量としては、基剤１００重量部に対して０．００１〜２０重量部の範囲が好ましく、より好ましくは０．００１〜１５重量部であり、最適には０．０１〜１０重量部である。シクロアルキルアミン又はその誘導体の含有量が基剤１００重量部に対して０．００１重量部を下回る場合、十分な基剤の酸化抑制効果を得ることができず、２０重量部を上回る場合には、上回っただけの酸化抑制効果が期待できず、不経済となる。
【００１８】
また本発明の組成物には、燃料電池に使用されている金属の腐食を効果的に抑制するため、少なくとも１種以上の腐食抑制剤を導電率に影響を与えない範囲で含ませることができる。
【００１９】
腐食抑制剤としては、リン酸及び又はその塩、脂肪族カルボン酸及び又はその塩、芳香族カルボン酸及び又はその塩、トリアゾール類、チアゾール類、ケイ酸塩、硝酸塩、亜硝酸塩、ホウ酸塩、モリブテン酸塩、及びアミン塩のいずれか１種若しくは２種以上の混合物を挙げることができる。
【００２０】
尚、本発明の組成物には、例えば水酸化ナトリウムや水酸化カリウムなどのｐＨ調整剤、消泡剤、或いは着色剤などを導電率に影響を与えない範囲で適宜添加することができる。
【００２１】
尚、本発明は、下記実施例に限定されるものではなく、「特許請求の範囲」に記載された範囲で自由に変更して実施することができる。
【実施例】
【００２２】
以下、本発明の組成物の好ましい実施例を挙げ、比較例と対比しつつ、その性能を評価した。表１には実施例１〜３並びに比較例１〜３の組成物を挙げた。実施例１〜３並びに比較例１〜３の各組成物は、いずれもイオン交換水及びエチレングリコールを基剤としており、この基剤中にシクロヘキシルアミンを添加したものを実施例１とし、メチルシクロヘキシルアミンを添加したものを実施例２、１，２−シクロヘキサンジアミンを添加したものを実施例３とした。
【００２３】
一方、上記基剤のみのものを比較例１とし、上記基剤中にエタノールアミンを添加したものを比較例２、アセトニトリルを添加したものを比較例３とした。
【００２４】
【表１】
2008059990.tif 000002
表１に示す実施例１〜３並びに比較例１〜３の各組成物について、酸化劣化後の酸の生成量を測定した。その結果を表２に示した。尚、各組成物の酸化劣化は、１００℃で３３６時間の条件で実施した。
【００２５】
【表２】
2008059990.tif 000003
表２から、酸化劣化後の酸の生成量を見たとき、基剤のみの比較例１の酸の生成量が１４、アセトニトリルを添加した比較例３の酸の生成量が１７となっているのに対し、エタノールアミンを添加した比較例２の酸の生成量は幾分抑えられて８となった。これに対し、環式化合物であるシクロアルキルアミン又はその誘導体を添加した実施例１〜３の各組成物の場合、それらの酸の生成量は３〜５と微量な量であり、酸の生成の抑制効果に優れることが確認された。